(57)【要約】【課題】鉄骨梁と鉄筋コンクリート柱の仕口部において柱とスラブのコンクリートの打ち分けを容易にすることができる。【解決手段】梁を鉄骨造とし、柱を鉄筋コンクリート造として、ラーメンを構成する鉄骨梁・鉄筋コンクリート柱複合構造の鉄骨梁１と鉄筋コンクリート柱２との仕口部に鉄筋コンクリート柱２を囲繞するようにふさぎ板３を配設する。ふさぎ板３の上端３ａは鉄骨梁１の上部に配設されるスラブ１０の天端１０ａまで達していて、ふさぎ板３は鉄筋コンクリート柱２とスラブ１０の境界部分のコンクリートの型枠を兼ねる。ふさぎ板３の内部に鉄筋コンクリート柱２のコンクリートを打設し、その後にスラブ１０のコンクリートを打設する。【選択図】図３
2009275432.tif 000002
【特許請求の範囲】
【請求項１】
梁を鉄骨造とし、柱を鉄筋コンクリート造として、ラーメンを構成する鉄骨梁・鉄筋コンクリート柱複合構造の鉄骨梁と鉄筋コンクリート柱の仕口構造であって、
前記鉄骨梁と前記鉄筋コンクリート柱との仕口部に前記鉄筋コンクリート柱を囲繞して内部にコンクリートが打設されるふさぎ部材が設けられ、該ふさぎ部材はその上端が前記鉄骨梁の上方に配設されるスラブの天端まで達していることを特徴とする鉄骨梁と鉄筋コンクリート柱の仕口構造。
【請求項２】
前記ふさぎ部材は、前記鉄筋コンクリート柱と前記スラブの境界部分における前記鉄筋コンクリート柱のコンクリートと前記スラブのコンクリートの型枠を兼ねていることを特徴とする請求項１に記載の鉄骨梁と鉄筋コンクリート柱の仕口構造。
【発明の詳細な説明】
【技術分野】
【０００１】
本発明は、梁を鉄骨造とし、柱を鉄筋コンクリート造としラーメンを構成する鉄骨梁・鉄筋コンクリート柱複合構造に関し、特に、鉄骨梁・鉄筋コンクリート柱の仕口構造に関する。
【背景技術】
【０００２】
従来、梁を鉄骨造とし柱を鉄筋コンクリート造としてラーメンを構成するＲＣＳＳ構法が開発されている（例えば、特許文献１参照）。ＲＣＳＳ構法では柱主筋は鉄骨の場合と同じように、予め工場で梁の仕口部と同時に加工され、現場で建方されるもので、鉄骨造の短工期性と鉄筋コンクリート造の低コスト性の両長所を兼ね備えており、大規模店舗や事務所、工場を構築する場合に適している。またＲＣＳＳ構法で柱のコンクリートの強度を高くし、柱および接合部の強度を向上させたＮｅｗＲＣＳＳ構法が開発され、鉄骨梁・鉄筋コンクリート柱複合構造の適用範囲が広がっている。
【特許文献１】特許第２５５４５３５号公報
【発明の開示】
【発明が解決しようとする課題】
【０００３】
しかしながら、従来のＮｅｗＲＣＳＳ構法では以下のような解決すべき点があった。ＮｅｗＲＣＳＳ構法では柱コンクリートの強度を高くしているので、柱のコンクリートとスラブのコンクリートの強度が異なる。そのため柱のコンクリートとスラブのコンクリートの打ち分けはコスト的にも、スラブの品質の面からも必要不可欠であるので、スラブのコンクリートよりも高強度な柱のコンクリートをスラブのコンクリートに先行して打設することになる。スラブには鉄筋やスラブに埋設される配管などが配設されているので鉄筋コンクリート柱とスラブの境界部分に現場にて型枠を設置しコンクリートを打ち分けすることは手間がかかる。また型枠の設置は複雑な場合が多いので鉄筋コンクリート柱のコンクリートの打設後にのろ（セメントペースト）等が床スラブ側に流出することが多く、その除去が必要になるなど手間がかかる。そのため工期に影響することが多かった。
【０００４】
本発明は、上述する問題点に鑑みてなされたもので、梁を鉄骨造とし、柱を鉄筋コンクリート造としてラーメンを構成する鉄骨梁・鉄筋コンクリート柱複合構造において、鉄筋コンクリート柱のコンクリートとスラブのコンクリートの打ち分けが容易にできる鉄骨梁と鉄筋コンクリート柱の仕口構造を提供することを目的とする。
【課題を解決するための手段】
【０００５】
上記目的を達成するため、本発明に係る鉄骨梁と鉄筋コンクリート柱の仕口構造は、      梁を鉄骨造とし、柱を鉄筋コンクリート造として、ラーメンを構成する鉄骨梁・鉄筋コンクリート柱複合構造の鉄骨梁と鉄筋コンクリート柱の仕口構造であって、鉄骨梁と鉄筋コンクリート柱との仕口部に鉄筋コンクリート柱を囲繞するように設けられて内部にコンクリートが打設されるふさぎ部材の上端が、鉄骨梁の上方に配設されるスラブの天端まで達していることを特徴とする。
本発明では、ふさぎ部材の上端がスラブの天端まで達しているので、鉄筋コンクリート柱のコンクリートとスラブのコンクリートの打ち分けをする際に予め工場などで加工したふさぎ部材を鉄筋コンクリート柱とスラブの境界部分の型枠とすることができ、容易に鉄筋コンクリート柱とスラブのコンクリートとの打ち分けができる。また、型枠を予め工場などで加工できて複雑な形状にも対応できるので、鉄筋コンクリート柱のコンクリートの打設後にのろ（セメントペースト）等がスラブ側に流出せず、柱周りの型枠に関わる処理工程が不要となる。
【０００６】
また、本発明に係る鉄骨梁と鉄筋コンクリート柱の仕口構造では、ふさぎ部材は、鉄筋コンクリート柱とスラブの境界部分の鉄筋コンクリート柱のコンクリートとスラブのコンクリートの型枠を兼ねていることが好ましい。
本発明では、ふさぎ部材が鉄筋コンクリート柱のコンクリートとスラブのコンクリートの型枠を兼ねているので、鉄筋コンクリート柱のコンクリート打設した直後にスラブコンクリートの打設が可能となるので、コンクリート打設工程を短縮させることができ、また、仕口部のせん断補強部材であるふさぎ部材が鉄筋コンクリート柱とスラブのコンクリートの型枠を兼ねているのでコストを削減することができる。
【発明の効果】
【０００７】
本発明によれば、鉄骨梁と鉄筋コンクリート柱の仕口部に鉄筋コンクリート柱を囲繞するように設けられて内部にコンクリートが打設されるふさぎ部材の上端が、スラブの天端まで達しているので、鉄筋コンクリート柱のコンクリートとスラブのコンクリートの打ち分けが容易にできる鉄骨梁と鉄筋コンクリート柱の仕口構造を実現することができる。
【発明を実施するための最良の形態】
【０００８】
以下、本発明の実施の形態による鉄骨梁と鉄筋コンクリート柱の仕口構造について、図１乃至図３に基づいて説明する。
図１は本発明の実施の形態による鉄骨梁と鉄筋コンクリート柱の仕口構造の一例を示すものでコンクリートを打設する前の仕口部分を示す斜視図、図２は本発明の実施の形態による鉄骨梁と鉄筋コンクリート柱の仕口構造の一例を示す平面図、図３は図２のＡ−Ａ線断面図である。
【０００９】
図１乃至図３に示すように、本実施の形態による鉄骨梁１と鉄筋コンクリート柱２の仕口部には薄型鋼板の四角筒状のふさぎ板３（ふさぎ部材）が鉄筋コンクリート柱２を囲繞するように設けられている。ふさぎ板３は仕口部のせん断補強部材であり、例えば６ｍｍ程度の厚さの薄型鋼板である。仕口部の鉄骨梁１は上下の水平フランジ４、５とウェブ６からなる鉄骨７を交差状態で一体化して構成されたもので、その交差部にはふさぎ板３がその軸線を上下に向けて配設されている。仕口部の鉄筋コンクリート柱２は柱主筋８をふさぎ板３の内側の四隅部に、それぞれ３本ずつ鉄骨を挟む位置に挿通されており、これら柱主筋８には全体的にフープ筋９が螺旋状に巻きつけられて、ふさぎ板３の内側にコンクリートが打設される構成となっている。上述した鉄骨梁１と鉄筋コンクリート柱２とふさぎ板３によって本実施の形態による仕口構造を概略構成しており、鉄骨７の上方にはスラブ１０が配設される。スラブ１０はスラブ１０の型枠を設置して配筋を行いコンクリートが打設される構成である。
【００１０】
ふさぎ板３の上下方向の高さは、ふさぎ板３の下端３ｂが鉄骨梁１を構成する鉄骨７の下側のフランジ５の下面と等しくふさぎ板３の上端３ａはスラブ１０の天端１０ａと等しくなるので、ふさぎ板３の上端３ａは鉄骨７の上側のフランジ４よりも高い位置に配設されることになる。また、鉄骨梁１を構成する鉄骨７の両端部はそれぞれふさぎ板３の側面から外方に突出しており、この突出部分に構造物の梁が接合されるようになっている。
【００１１】
コンクリートを打設する工程では、鉄筋コンクリート柱２のコンクリートがスラブ１０のコンクリートよりも強度が高いため、スラブ１０のコンクリートに先行して鉄筋コンクリート柱２のコンクリートを打設する手順となる。まず鉄筋コンクリート柱２のコンクリートを打設する際には、鉄筋コンクリート柱２の周りのコンクリート止め型枠として配置されたふさぎ板３と、ふさぎ板３の下方に配置されたふさぎ板３と断面形状が等しい四角筒状の型枠１１とにコンクリートを打設する。ふさぎ板３と型枠１１にコンクリートを打設することによって鉄筋コンクリート柱２と仕口部を同時に打設する。また、ふさぎ板３の下方だけでなく上方にも型枠１１を配置してよく、このとき型枠１１とふさぎ板３の接続部分の高さはふさぎ板３の上端３ａとなりスラブ１０の天端１０ａの高さとなる。そして鉄筋コンクリート柱２のコンクリートを打設した後に、鉄骨７の上方の配筋が行われたスラブ１０の図示しない型枠にスラブ１０のコンクリートを打設する。この際、スラブ１０の天端１０ａはふさぎ板３上端３ａと同じなのでふさぎ板３の上端３ａの高さまでコンクリートを打設し、鉄筋コンクリート柱２とスラブ１０の境界部分のコンクリートの型枠はふさぎ板３となる。
【００１２】
次に、本実施の形態による鉄骨梁と鉄筋コンクリート柱の仕口構造の効果について従来の鉄骨梁と鉄筋コンクリート柱の仕口構造と比べて図１乃至図６を用いて説明する。
図４は従来の鉄骨梁と鉄筋コンクリート柱の仕口構造の一例を示すものでコンクリートを打設する前の仕口部分を示す斜視図、図５は従来の鉄骨梁と鉄筋コンクリート柱の仕口構造の一例を示す平面図、図６は図５のＢ−Ｂ線断面図である。
図１乃至図３に示すように、本実施の形態による鉄骨梁と鉄筋コンクリート柱の仕口構造によれば、ふさぎ板３の上端３ａの高さはスラブ１０の天端１０ａの高さと等しいが、図４乃至図６に示すように、従来の鉄骨梁と鉄筋コンクリート柱の仕口構造によれば、ふさぎ板１３の上下方向の高さは鉄骨７の高さと等しく設定されており、ふさぎ板１３の上端１３ａの高さはフランジ４の上面と等しくなり、ふさぎ板１３の上端１３ａの高さはスラブ１０の天端１０ａに達していない。
【００１３】
スラブ１０の天端１０ａの高さまで鉄筋コンクリート柱２とスラブ１０のコンクリートを打設する場合、鉄筋コンクリート柱２のコンクリートをスラブ１０のコンクリートに先行して打設し、その後にスラブ１０のコンクリートを打設するので、鉄筋コンクリート柱２とスラブ１０の境界部分にはコンクリート止めが必要となる。実施の形態による鉄骨梁と鉄筋コンクリート柱の仕口構造では、鉄筋コンクリート柱２とスラブ１０のコンクリートの境界部分のコンクリート止めは、ふさぎ板３の上端３ａがスラブ１０の天端１０ａの高さまであるのでふさぎ板３を鉄筋コンクリート柱２とスラブ１０の境界部分のコンクリート止めとできる。
従来の鉄骨梁と鉄筋コンクリート柱の仕口構造では、鉄筋コンクリート柱２とスラブ１０のコンクリートの境界部分のコンクリート止めは、ふさぎ板１３の上端１３ａがスラブ１０の天端１０ａの高さまで達していないので、ふさぎ板１３の上方に接続されるスラブ１０の天端１０ａの高さに達するコンクリート止め部材１４が必要となる。ふさぎ板１３とコンクリート止め部材１４の接続部分の高さはスラブ１０の下端付近となり、スラブ１０の鉄筋やスラブ１０に埋設される配管などが近設されているので、ふさぎ板１３とコンクリート止め部材１４の接続作業が煩雑で手間がかかる。また、ふさぎ板１３とコンクリート止め部材１４の接続部分は複雑な形状が多いため鉄筋コンクリート柱２のコンクリートを打設した後にスラブ１０の上方にのろ（セメントペースト）が流出することが多く除去作業が必要である。
【００１４】
本実施の形態による鉄骨梁と鉄筋コンクリート柱の仕口構造では、鉄筋コンクリート柱２とスラブ１０の境界部分のコンクリート止めは予め工場などで加工されたふさぎ板３なので、鉄筋コンクリート柱２とスラブ１０のコンクリートの打ち分けに手間がかからず、鉄筋コンクリート柱２のコンクリートを打設した後にのろが流出しないのでコンクリートの品質が向上する。
【００１５】
従来の鉄骨梁と鉄筋コンクリート柱の仕口構造では、鉄筋コンクリート柱２とスラブ１０の境界部分のコンクリート止めはふさぎ板１３とコンクリート止め部材１４であるので、コンクリートが硬化した後にコンクリート止め部材１４をはずし、スラブ１０のコンクリートを打設することになるが、本実施の形態による鉄骨梁と鉄筋コンクリート柱の仕口構造では、鉄筋コンクリート柱２とスラブ１０の境界部分のコンクリートの型枠はふさぎ板３であり、鉄骨梁１と鉄筋コンクリート柱２の仕口を構成する部材であるので、コンクリート止めの撤去の必要がなく、鉄筋コンクリート柱２のコンクリートを打設した直後にスラブ１０のコンクリートの打設が可能となり工期の短縮が図れて、仕口部のせん断補強部材であるふさぎ板３が鉄筋コンクリート柱２のコンクリートとスラブ１０のコンクリートの打ち分け部分の型枠も兼ねるので経済的である。
【００１６】
上述した本実施の形態による鉄骨梁と鉄筋コンクリート柱の仕口構造では、ふさぎ板３の上端３ａがスラブ１０の天端１０ａまで足しているので、ＮｅｗＲＣＳＳ構法において強度の異なる鉄筋コンクリート柱２のコンクリートとスラブ１０のコンクリートの打ち分けが容易にでき工期短縮が図れて、コンクリートの施工不良がなくなりコンクリートの品質が向上し、仕口部のせん断補強部材であるふさぎ板３が鉄筋コンクリート柱２のコンクリートとスラブ１０のコンクリートの境界部分の型枠も兼ねるので経済的であるという効果を奏する。
【００１７】
以上、本発明による鉄骨梁と鉄筋コンクリート柱の仕口構造の実施の形態について説明したが、本発明は上記の実施の形態に限定されるものではなく、その趣旨を逸脱しない範囲で適宜変更可能である。
例えば、上述した実施の形態では、鉄筋コンクリート柱２のコンクリートとスラブ１０のコンクリートの強度が異なりコンクリートの打ち分けを必要としているが、鉄筋コンクリート柱２とスラブ１０のコンクリートの強度が同等で打ち分けが必要ない場合に本発明を適用してもよい。また、上述した実施の形態では、ふさぎ板３の下端３ｂの高さを鉄骨７の下側のフランジ５の下面とし、上端３ａの高さをスラブ１０の天端１０ａの高さとしているが、ふさぎ板３の上端３ａの高さがスラブ１０の天端１０ａの高さ以上であればよい。要は、本発明において所期の機能が得られればよいのである。
【図面の簡単な説明】
【００１８】
【図１】図１は本発明の実施の形態による鉄骨梁と鉄筋コンクリート柱の仕口構造の一例を示すものでコンクリートを打設する前の仕口部分を示す斜視図である。
【図２】図２は本発明の実施の形態による鉄骨梁と鉄筋コンクリート柱の仕口構造の一例を示す平面図である。
【図３】図３は図２のＡ−Ａ線断面図である。
【図４】図４は従来の形態による鉄骨梁と鉄筋コンクリート柱の仕口構造の一例を示すものでコンクリートを打設する前の仕口部分を示す斜視図である。
【図５】図５は従来の形態による鉄骨梁と鉄筋コンクリート柱の仕口構造の一例を示す平面図である。
【図６】図６は図５のＢ−Ｂ線断面図である
【符号の説明】
【００１９】
１  鉄骨梁
２  鉄筋コンクリート柱
３  ふさぎ板
３ａ  上端
３ｂ  下端
４  フランジ
５  フランジ
６  ウェブ
７  鉄骨
８  柱主筋
９  フープ筋
１０  スラブ
１０ａ  天端
１１  型枠
１３  ふさぎ板
１３ａ  上端
１３ｂ  下端
１４  コンクリート止め部材
【図１】
2009275432.tif 000003
【図２】
2009275432.tif 000004
【図３】
2009275432.tif 000005
【図４】
2009275432.tif 000006
【図５】
2009275432.tif 000007
【図６】
2009275432.tif 000008